(57)【特許請求の範囲】
【請求項１】
取付基部と、
該取付基部に、水平方向へ所要の範囲内で回動できるように直接または間接的に設けられており、畝の側部表面に当接可能な第１の当接部と、該第１の当接部の下部に設けられ、畝裾の表層土を所要深さで掘り起こす第１の耕起部とを有する第１の回動体と、
前記取付基部の前記第１の回動体の反対側となる位置に、水平方向へ所要の範囲内で回動できるように直接または間接的に設けられており、畝の側部表面に当接可能な第２の当接部と、該第２の当接部の下部に設けられ、畝裾の表層土を所要深さで掘り起こす第２の耕起部とを有する第２の回動体と、
前記第１の当接部と前記第２の当接部が畝の側部表面に当接するように、前記第１の回動体と前記第２の回動体を回動方向へ付勢する付勢手段とを備える
畝裾耕起体。
【請求項２】
前記第１の当接部と前記第２の当接部が滑らかに形成されている
請求項１に記載の畝裾耕起体。
【請求項３】
前記第１の耕起部と前記第２の耕起部が、畝裾の表層土を所要深さで掘り起こす高さを保持する高さ保持手段を備える
請求項１または請求項２に記載の畝裾耕起体。
【請求項４】
前記高さ保持手段が、走行面に接地する車輪を有する
請求項３に記載の畝裾耕起体。
【請求項５】
管理機と、
該管理機への取り付け部分となる取付基部と、同取付基部の前記管理機の進行方向に対して左右となる側に、畝の側部表面に当接可能な当接部と、同当接部の下方に配置され、同当接部と連動し、畝裾の表層土を所要深さで掘り起こす耕起部とを含み、同管理機の進行方向またはその反対方向へ所要の範囲内で回動できるように取り付けられた回動体と、同回動体が同管理機の進行方向へ回動し、同当接部が畝の側部表面に当接するように付勢する付勢手段とを有する畝裾耕起体とを備える
除草装置。
【請求項６】
前記管理機が耕耘機能を有する
請求項５に記載の除草装置。
【発明の詳細な説明】
【技術分野】
【０００１】
本発明は、畝裾耕起体、および除草装置に関するものである。更に詳しくは、マルチ栽培法で用いられるプラスチックフィルム等（以下「マルチシート」という）を破損させることなく畝の裾（以下「畝裾」という）の除草作業を行うことができると共に、作業者の肉体的負担を軽減できるものに関する。
【背景技術】
【０００２】
従来から、除草剤をできるだけ使わないようにして、雑草が生い茂ることを抑制するための方法として、畑の畝の表面をマルチシートで覆うマルチング（Mulching、以下「マルチ栽培法」という）が行われている。
【０００３】
マルチ栽培法を行う場合、畑の手入れがしやすいように、畝間に土を入れたり、マルチシートの端部を畝裾に埋め込んで畝間は土壌を露出させたりすることがあるが、このような場合、畝間にある土に雑草が生えてしまう。
【０００４】
このような畝間の土に生えた雑草を取り除くために、例えば、下記非特許文献１に記載された草取りホーのような農具がある。図１０に示す非特許文献１記載の草取りホー９は、長尺の柄９１と、柄９１の先に取り付けられた刃９２を有しており、刃９２で草を刈ったり、表層土を草の根ごと削り取ったりすることができる。
【先行技術文献】
【非特許文献】
【０００５】
【非特許文献１】浅香工業株式会社  製商品情報  草取りホー  http://www.asaka-ind.co.jp/tools/deadstock/weedscraping_01.html
【発明の概要】
【発明が解決しようとする課題】
【０００６】
しかしながら、草取りホー９を用いて除草作業を行った場合、手作業であるため、作業者の肉体的負担が大きい。また、雑草は、すぐに生え、そのままにしておくと根付いて除草しにくくなるため、こまめに除草作業を行う必要があるが、これもまた作業者の肉体的負担となっていた。
【０００７】
一方、耕耘機能を有する管理機を用いて土を掘り起こして除草作業を行ってみたところ、作業者の肉体的負担は軽減されるものの、その耕耘爪が畝を覆うマルチシート（地下に埋め込まれたマルチシートの裾部分を含む）に接触して破ってしまうことが判明した。これに対し、管理機をマルチシートに近づき過ぎないようにして作業すれば、マルチシートを破る可能性は低くなるが、今度は畝裾の方に土が溜まっていくと共に、同部分に生える雑草の除草ができないので、畝裾に生える雑草は、結局、草取りホー９を用いて手作業で除草する必要があり、二度手間となる。
また、管理機で畝間の除草作業を繰り返し行うと、畝裾に沿って盛り上がるように土が溜まる共に、走路の中央部分が低くなり、管理機が走行しにくくなることも判明した。
【０００８】
本発明は、以上の点を鑑みて創案されたものであり、マルチ栽培法で用いられるマルチシートを破損させることなく畝裾の除草作業を行うことができると共に、作業者の肉体的負担を軽減する畝裾耕起体、および除草装置を提供することを目的とするものである。
【課題を解決するための手段】
【０００９】
上記の目的を達成するために、本発明の畝裾耕起体は、取付基部と、該取付基部に、水平方向へ所要の範囲内で回動できるように直接または間接的に設けられており、畝の側部表面に当接可能な第１の当接部と、該第１の当接部の下部に設けられ、畝裾の表層土を所要深さで掘り起こす第１の耕起部とを有する第１の回動体と、前記取付基部の前記第１の回動体の反対側となる位置に、水平方向へ所要の範囲内で回動できるように直接または間接的に設けられており、畝の側部表面に当接可能な第２の当接部と、該第２の当接部の下部に設けられ、畝裾の表層土を所要深さで掘り起こす第２の耕起部とを有する第２の回動体と、前記第１の当接部と前記第２の当接部が畝の側部表面に当接するように、前記第１の回動体と前記第２の回動体を回動方向へ付勢する付勢手段とを備える。
【００１０】
ここで、取付基部は、例えば、同部分を介して、管理機等の農作業機の進行方向に対して左右となる側に、第１の回動体および第２の回動体を取り付けることができる。
【００１１】
第１の回動体および第２の回動体は、例えば、管理機等の進行方向に対して左右となる側に取り付けられると、畝間の幅に合わせて、各々が管理機等の進行方向の反対方向に回動する。
【００１２】
第１の当接部および第２の当接部は、畝の側部表面に当接する。
【００１３】
第１の耕起部および第２の耕起部は、例えば、畝裾の表層土に当たるか、または進入することによって、所要深さで表層土を掘り起こす。これにより、同部分に生える雑草が根ごと掘り起こされるので、これを枯死させることができる。また、第１の耕起部および第２の耕起部は、第１の当接部および第２の当接部と連動することにより、畝間の幅に合わせて適当な位置に動き、同位置にある畝裾の表層土を掘り起こすことができる。
【００１４】
付勢手段は、例えば、管理機等の進行方向とは反対側へ第１の回動体と第２の回動体を回動させ、進行方向への付勢力によって第１の当接部および第２の当接部を畝の側部表面に当接させた後、管理機等と畝との距離が多少変動しても、第１の当接部および第２の当接部で畝の側部表面を押さえた状態を維持できると共に、押さえる力をほぼ均等にすることができる。これにより、畝に張られたマルチシートに無理な力が作用せず、破損させないようにすることができる。
【００１５】
このように、畝裾耕起体は、前述の取付基部、第１の回動体と第２の回動体および付勢手段が協働することによって、例えば、取り付けた管理機等を畝間に走行させた際に、第１の当接部および第２の当接部が畝の側部表面に当接することで、各回動体が畝の幅に応じて進行方向の反対側に回動し、管理機等と畝の間に適度な間隔が保持されると共に、各当接部と連動する各耕起部によって畝裾の表層土を所要深さで掘り起こすことができる。このようにして、同部分に生える雑草を根ごと掘り起こし、これを枯死させることで、除草を行うことができる。また、作業を終えた後の畝間は、各耕起部によって均された状態となるので、次回以降も管理機が走行しやすくなる。
【００１６】
前記第１の当接部と前記第２の当接部が滑らかに形成されている場合は、作業時において、畝の側部表面に接触した当接部が、畝の側部表面に張られたマルチシートに引っ掛かって破損させるような事故をより少なくできる。
【００１７】
前記第１の耕起部と前記第２の耕起部が、畝裾の表層土を所要深さで掘り起こす高さを保持する高さ保持手段を備える場合には、この高さ保持手段によって、耕起部が畝裾の表層土を所要深さで掘り起こすために必要な高さを保持することができる。
【００１８】
前記高さ保持手段が、走行面に接地する車輪を有する場合には、この車輪によって、耕起部が畝裾の表層土を所要深さで掘り起こす高さを保持しつつ、畝裾耕起体を含む管理機等をスムーズに走行させることができる。
【００２４】
上記の目的を達成するために、本発明の除草装置は、管理機と、該管理機への取り付け部分となる取付基部と、同取付基部の前記管理機の進行方向に対して左右となる側に、畝の側部表面に当接可能な当接部と、同当接部の下方に配置され、同当接部と連動し、畝裾の表層土を所要深さで掘り起こす耕起部とを含み、同管理機の進行方向またはその反対方向へ所要の範囲内で回動できるように取り付けられた回動体と、同回動体が同管理機の進行方向へ回動し、同当接部が畝の側部表面に当接するように付勢する付勢手段とを有する畝裾耕起体とを備える。
【００２５】
ここで、管理機は、動力源である原動機を有し、自走できるので、取り付けられた畝裾耕起体を使用するにあたって人力が不要であるか、または少なくて済み、作業者の肉体的負担が軽減される。
【００２６】
ここで、取付基部は、同部分を介して管理機の進行方向に対して左右となる側に回動体を取り付けることができる。
【００２７】
回動体は、管理機の進行方向に対して左右となる側に取り付けられており、畝間の幅に合わせて、各回動体が管理機等の進行方向の反対方向に回動する。
【００２８】
当接部は、畝の側部表面に当接することにより、畝の側部表面と管理機等との間に所要の間隔を生じさせると共に、その間隔を適度に保つことができる。
【００２９】
耕起部は、例えば、畝裾の表層土に当たるか、または進入することで、所要深さで表層土を掘り起こすことによって、所要深さで表層土を掘り起こす。これにより、同部分に生える雑草が根ごと掘り起こされるので、枯死させることができる。また、耕起部は、当接部と連動することにより、畝間の幅に合わせて適当な位置に動き、同位置にある畝裾の表層土を掘り起こすことができる。
【００３０】
付勢手段は、管理機の進行方向とは反対側へ各回動体を回動させ、進行方向への付勢力によって当接部を畝の側部表面に当接させた後、管理機と畝との距離が多少変動しても、当接部で畝の側部表面を押さえた状態を維持できると共に、押さえる力をほぼ均等にすることができる。これにより、畝に張られたマルチシートに無理な力が作用せず、破損させないようにすることができる。
【００３１】
このように、除草装置は、管理機と、畝裾耕起体の取付基部、回動体および付勢手段とが協働することによって、畝裾耕起体を取り付けた管理機を畝間に走行させた際に、当接部が畝の側部表面に当接することで、回動体が畝の幅に応じて進行方向の反対側に回動し、管理機と畝の間に適度な間隔が保持されると共に、当接部と連動する耕起部によって畝裾の表層土を所要深さで掘り起こすことができる。このようにして、同部分に生える雑草を根ごと掘り起こし、枯死させることで、除草ができる。また、作業を終えた後の畝間は、耕起部によって均された状態となるので、次回以降も管理機が走行しやすくなる。
【００３２】
前記管理機が耕耘機能を有する場合は、畝裾耕起体で畝裾の表層土を掘り起こすのみならず、畝裾を除く畝間の表層土も掘り起こすことができ、畝裾を含む畝間全体の除草および均す作業を一度に行うことができる。
【発明の効果】
【００３５】
本発明による畝裾耕起体によれば、マルチ栽培法で用いられるマルチシートを破損させることなく畝裾の除草作業を行うことができると共に、作業者の肉体的負担を軽減することができる。また、本発明による除草装置によれば、マルチ栽培法で用いられるマルチシートを破損させることなく畝裾の除草作業を行うことができると共に、作業者の肉体的負担を軽減することができる。
【図面の簡単な説明】
【００３６】
【図１】本発明の除草装置の一実施の形態を示す斜視図である。
【図２】図１に示す除草装置の畝裾耕起体を示す正面視説明図である。
【図３】図１に示す除草装置の畝裾耕起体を示す背面視説明図である。
【図４】図１に示す除草装置の畝裾耕起体を示す右側面視説明図である。
【図５】図１に示す除草装置の畝裾耕起体を示す平面視説明図である。
【図６】図１に示す除草装置の畝裾耕起体を示す底面視説明図である。
【図７】図１に示す除草装置の畝裾耕起体の動きを示す平面視説明図である。
【図８】図１に示す除草装置の使用状態を示す斜視説明図である。
【図９】図１に示す除草装置の使用状態を示す正面視説明図である。
【図１０】非特許文献１記載の草取りホーを示した斜視図である。
【発明を実施するための形態】
【００３７】
図１ないし図９を参照して、本発明の実施の形態を更に詳細に説明する。なお、各図における符号は、煩雑さを軽減し理解を容易にする範囲内で付している。
また、以下で述べる用語「前方」は先に述べた「進行方向」と、用語「後方」は先に述べた「進行方向の反対方向」と、用語「引っ張りコイルバネ」は先に述べた「付勢手段」と、用語「高さ保持部」は先に述べた「高さ保持手段」と、それぞれ同等の意味で使用している。
【００３８】
図１に示す除草装置Ａは、管理機１と、管理機１の進行方向に取り付けられた畝裾耕起体２を備えており、以下各部について説明する。
【００３９】
〔管理機１〕
管理機１は、本体部１０と、本体部１０後方に配置された原動機１１と、本体部１０下方に配置された左右一対の走行輪１２と、本体部１０後方側に配置された平面視略Ｖ字状の操作ハンドル１３と、本体部１０前方側下部に配置された左右一対の耕耘部１４と、本体部１０前方に配置された本体部側取付基部１５とを有している。
【００４０】
原動機１１は、ベルト（図示省略）とプーリー（図示省略）を用いた動力伝達部（図示省略）を介して、走行輪１２および耕耘部１４に動力を供給している。
耕耘部１４は、走行輪１２の前方に間隔を開けて配置されている。
左右の耕耘部１４の耕耘幅は、左右の走行輪１２の間の間隔と略同じである。
【００４１】
本体部側取付基部１５は、本体部１０の幅方向中央に、本体部１０の斜め前方側へ傾斜する貫通穴を有する筒状体であり、貫通穴に所要長さの取付棒１５１が挿入される。
取付棒１５１は、その軸方向と交差する方向から取着する締着ボルト（符号省略）を用いて、上下方向に動かないように固定される。
取付棒１５１は、下方側に畝裾耕起体２が取り付けられる。
【００４２】
〔畝裾耕起体２〕
図１から図６を参照して、畝裾耕起体２について説明する。
畝裾耕起体２は、取付棒１５１を介して管理機１への取り付け部分となる取付基部２１と、取付基部２１に回動可能に取り付けられた回動体２３と、回動体２３に付勢力を与える引っ張りコイルバネ２５と、取付基部２１下方に配置された高さ保持部２６とを有する。
【００４３】
取付基部２１は、取付棒１５１を挿入可能な筒状体である取付基部本体２１１と、取付基部本体２１１に基端側が固着され、先端側に向かって取付基部本体２１１の左右の斜め前方側へ（平面視でＶ字状、図４参照）延びた所要長さの棒状の第１の腕部２１２と、第１の腕部２１２先端に設けられ、上下方向への貫通穴が形成された円筒状の接続部２１３と、を有している。また、取付基部２１は、取付基部本体２１１の前方側であって第１の腕部２１２の下方には、引っ張りコイルバネ２５の一端側を取着する取付基部側引っかけ部２１４を有している。
【００４４】
回動体２３は、基端部が各接続部２１３に回動可能に嵌着された一対の第２の腕部２３１と、第２の腕部２３１の先端側が直線状の中間部に固着され、軸線方向における上部側および下部側を第２の腕部２３１の方向に湾曲させて略Ｃ字状に形成された一対の当接部２３２とを有している。
【００４５】
各第２の腕部２３１は、軸方向の略中央部から取付基部２１の反対方向へ略Ｌ字状に曲げて形成されており、右に取り付けられたものは右側方側へ曲がるように、左に取り付けられたものは左側方側へ曲がるように、それぞれ取り付けられている（図２、３、４、６参照）。
【００４６】
当接部２３２のうち、直線状の中間部の外方側が畝の側部表面に当接する部分であり、下方の湾曲部分が耕起部２３３を構成する（図２、３参照）。また、回動体２３は、丸棒状の素材で形成されている。即ち、当接部２３２の畝の側部表面に接する部分が滑らかな形状となっている。
当接部２３２の中間部は、その軸方向が上方から下方に向けて内側（畝裾耕起体２の中央方向）に傾斜している
【００４７】
第２の腕部２３１の縦方向となる部分には、同部分に基端側が固着され、先端側が上方に向いた自由端である略Ｌ字状のストッパー部２３４が、所要間隔を空けて２箇所に設けてある。
【００４８】
各ストッパー部２３４は、各々の水平部分の軸線が略７０°で交差し、かつ、各々の縦方向となる部分が第１の腕部２１２に当たって止まるように取り付けられており、同角度が回動可能な角度となる。また、各ストッパー部２３４の縦方向となる部分には、引っ張りコイルバネ２５の他端側が取着されている。
【００４９】
高さ保持部２６は、取付棒１５１下端に固着されたステー２６２と、ステー２６２に回転可能に取り付けられた車輪２６１を有している。高さ保持部２６は、その下端が、耕起部２３３の下端よりも僅かに長く設けられている。
【００５０】
（作  用）
図１から図９（特に図７から図９）を参照して、除草装置Ａの使用方法および作用について説明する。
【００５１】
（除草作業開始前）
図７の下側の図は、除草作業開始前の畝裾耕起体２を示しており、この状態において、各回動体２３は、進行方向と略直交する左右方向に開いている。
【００５２】
（除草作業中）
除草装置Ａを用いて、マルチシートが張られた畝Ｒの間の領域である畝間に生える雑草Ｗの除草作業を行う。
管理機１を畝間に向かって進行させる。このとき、管理機１は、操作ハンドル１３により操作されると共に、原動機１１が走行輪１２および耕耘部１４へ動力を供給する。
【００５３】
管理機１が畝間に入るときに、畝Ｒの入り口にある短手側の側壁に当たって、左右の各回動体２３が後方へ回動する（図７の下側の図を参照）。回動した回動体２３は、畝の側部Ｒ１表面に、中間部が内側に傾斜した形状である当接部２３２が当接することで、畝の側部Ｒ１表面と管理機１との間隔を、畝間から出るまでの間、適度に保つことができる。
なお、図７ないし図９に示した台形型畝のみならず、丸形畝、低めの畝にも使用した結果、いずれで使用しても好適に対応できた。
【００５４】
また、当接部２３２は丸棒状の素材で形成されて滑らかな形状であるため、当接部２３２が畝の側部Ｒ１表面に当接したまま進行しても、円滑に進むと共に、マルチシートに引っ掛かって破損させるような事故が発生しにくい。
【００５５】
更に、回動体２３は、先述の回動範囲に設定されたストッパー部２３４を備えているので、仮に、畝間が狭かったり、除草装置Ａの進行方向が左右のいずれかに偏ったりした場合であっても、回動体２３が管理機１の後方へ回動し過ぎて耕耘部１４の耕耘爪等に接触するような事故を防止できる。
【００５６】
加えて、回動体２３は、引っ張りコイルバネ２５の付勢力によって前方への付勢力が生じているので、畝の側部Ｒ１表面との間隔を保つ為に後方へ回動する角度が適度に保持される。
【００５７】
図９を参照する。回動体２３の耕起部２３３は、畝裾Ｒ２の表層土に当たるか、または進入することで、所要深さで表層土を掘り起こす。また、耕起部２３３は、当接部２３２と連動するため、畝間の幅に合わせて適当な位置に動き、同位置にある畝裾Ｒ２の表層土を掘り起こす。
【００５８】
車輪２６１は、耕起部２３３が畝裾Ｒ２の表層土を所要深さで掘り起こす高さを保持しつつ、畝裾耕起体２を含む管理機１をスムーズに前進させる。
【００５９】
これにより、畝裾Ｒ２に生える雑草Ｗを根ごと掘り起こし、枯死させることができる（図７の上側の図、図８で示すように、畝裾耕起体２が通過した後の畝裾Ｒ２は掘り起こされている）。
【００６０】
なお、本実施の形態においては、耕起部２３３は、その先端（下端）が３ｃｍ位土を掘るように設定している。これは、それ以上深く掘ると、畝裾Ｒ２の下に埋まったマルチシートを引っかけて破いてしまうおそれがあるからである。また、あまり深く掘るようにすると、土の抵抗が大きくなり、円滑な走行が妨げられるからである。しかしながら、耕起部２３３の土への進入深度は先述の数値に限定されるものではなく、例えば、１〜７ｃｍ程度に設定してもよい。
【００６１】
加えて、管理機１の耕耘部１４は、畝裾Ｒ２を除く畝間の表層土も掘り起こす（図７の上側の図、図８参照）。つまり、耕起部２３３と耕耘部１４が協働して、畝裾Ｒ２を含む畝間全体の除草を一度に行うことができる。また、このとき、耕耘部１４は、掘り起こした畝間の表層土の一部を管理機１の左右側に飛ばし、所要量の土が畝裾Ｒ２にかかるようにする。これにより、畝裾耕起体２が通過した後に掘り起こされた畝裾Ｒ２からマルチシートの裾が露出して、風でマルチシートがめくれないようにしている。
【００６２】
（除草作業終了後）
除草作業が終了して畝間から出ると、畝の側部表面と接触しなくなった回動体２３は、引っ張りコイルバネ２５の付勢力によって回動し、除草作業開始前の元の位置に戻る（図７の下側の図を参照）。また、ストッパー部２３４が第１の腕部２１２に当たって、回動体２３が前方向に行き過ぎないように回動を止める。
【００６３】
このように、除草装置Ａは、管理機１と畝裾耕起体２が協働することによって、回動体２３が畝間の幅に応じて後方に回動して管理機１と畝Ｒとの間に適度な間隔が保持されると共に、耕起部２３３と耕耘部１４によって、畝裾Ｒ２を含む畝間の表層土を所要深さで掘り起こすことができる。
【００６４】
つまり、本実施の形態による除草装置Ａによれば、マルチシートを破損させることなく畝裾Ｒ２を含む畝間に生える雑草Ｗを根ごと掘り起こして枯死させる除草作業を行うことができる。また、除草装置Ａを用いて除草作業を行うことにより、除草剤をほとんど使わなくて済む。
【００６５】
併せて、除草装置Ａによれば、原動機１１を有する管理機１を使用しており、また、管理機１の左右両側に位置する畝裾Ｒ２を含む畝間の表層土を同時に掘り起こすことができるので、作業者の肉体的負担を軽減できる。また、除草作業を終えた後の畝間は、耕起部２３３と耕耘部１４によって均されて平らになるので、次回以降も管理機１が走行しやすくなる。このように、除草装置Ａは作業者の負担が少なく、作業性が良いので、頻繁に除草作業を行うことで、畝間に雑草が根付かないようにできる。
【００６６】
本実施の形態において、畝の側部表面との間に所要の間隔が空くように動く間隔調整体として、先に述べた構造の回動体２３を採用しているが、これに限定するものではなく、例えば、入れ子状の部材に伸長方向への付勢力を発生させる弾性体を用い、取付基部側へ伸縮可能な構造体を採用してもよい。
【００６７】
本実施の形態において、当接部２３２は、丸棒状の素材で形成されて畝の側部表面に接する部分が滑らかな形状となっているが、これに限定するものではなく、例えば、角棒や板状に形成された先端にローラ状の転動体を配して当接部とする態様であってもよく、つまり、当接部は、マルチシートを破損させずに滑らせる移動が可能な他の公知手段等であればよい。
【００６８】
本実施の形態においては、間隔保持手段として車輪２６１およびステー２６２を採用しているが、これに限定するものではなく、例えば、走行面に至る長さの棒材とその先端に取り付けられた橇状部材を組み合わせた態様等であってもよい。
【００６９】
本実施の形態において、回動体２３は丸棒状の素材で形成されているが、これに限定するものではなく、例えば、回動体は、フラップ状に回動する板状体等であってもよい。
【００７０】
本実施の形態において、付勢手段として引っ張りコイルバネを採用しているが、これに限定するものではなく、例えば、圧縮バネ、板バネ等の各種バネ、ゴムのような各種弾性体であってもよい。
【００７１】
本実施の形態において、畝裾耕起体２は、取付基部２１と左右の回動体２３が一体になった態様であるが、これに限定するものではなく、例えば、左右を別体として管理機等の左右側部に離れて配置してもよい。また、畝裾耕起体（先述の左右に離れた態様の畝裾耕起体も含む）のみをパーツとして取引し、既存の作業機、トラクターにも取り付けることも可能である。
【００７２】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【符号の説明】
【００７３】
Ａ    除草装置
Ｒ    畝
Ｒ１    畝の側部Ｒ１
Ｒ２    畝裾
Ｗ    雑草
１    管理機
１０    本体部
１１    原動機
１２    走行輪
１３    操作ハンドル
１４    耕耘部
１５    本体部側取付基部
１５１    取付棒
２    畝裾耕起体
２１    取付基部
２１１    取付基部本体
２１２    第１の腕部
２１３    接続部
２１４    取付基部側引っかけ部
２３    回動体
２３１    第２の腕部
２３２    当接部
２３３    耕起部
２３４    ストッパー部
２５    引っ張りコイルバネ
２６    高さ保持部
２６１    車輪
２６２    ステー
９    草取りホー
９１    柄
９２    刃
【図１】
0006441753.tif 000002
【図２】
0006441753.tif 000003
【図３】
0006441753.tif 000004
【図４】
0006441753.tif 000005
【図５】
0006441753.tif 000006
【図６】
0006441753.tif 000007
【図７】
0006441753.tif 000008
【図８】
0006441753.tif 000009
【図９】
0006441753.tif 000010
【図１０】
0006441753.tif 000011